(57)【要約】【課題】陳列棚の前方に、棚札表示として品物の情報を綺麗に表示させる。【解決手段】陳列棚１に設けられた品物４を載置するための載置台６の前方領域には、透過型のスクリーン７が配置される。スクリーン７には、その内縁を縁取る位置に遮光部材８が設けられている。プロジェクタ装置１４から投射されたプロジェクタ画像は、光学系２３によって分割された上でスクリーン７の裏面側に導かれる。スクリーン７の裏面側まで到達したプロジェクタ画像は、その外縁部分が遮光部材８によって遮られて輪郭が明確になった上で、スクリーン７の表面側まで透過投影される。【選択図】図４
2008200377.tif 000002
【特許請求の範囲】
【請求項１】
品物を載置可能であって異なる高さ位置に配置された複数個の載置台と、
前記載置台に個々に対応付けて当該載置台の前方領域に位置付けられ、裏面側から投影されたプロジェクタ画像を表面側に透過投影可能な複数個の透過型スクリーンと、
一又は二以上の前記透過型スクリーンの内縁を縁取る位置に設けられ前記投影されるプロジェクタ画像の一部を遮光する遮光部材と、
一画面で構成されたプロジェクタ画像を投影するプロジェクタ装置が配置されるプロジェクタ設置部と、
前記プロジェクタ装置から投影されたプロジェクタ画像を個々の前記透過型スクリーンの裏面側に分割して導く光学系と、
を備える陳列棚。
【請求項２】
前記遮光部材の一部である第１の遮光部材は、当該第１の遮光部材が設けられている前記透過型スクリーンの裏面側に設けられる、請求項１記載の陳列棚。
【請求項３】
前記遮光部材の一部である第２の遮光部材は、当該第２の遮光部材が設けられている前記透過型スクリーンの表面側に設けられる、請求項１または２記載の陳列棚。
【請求項４】
前記遮光部材の一部である第３の遮光部材は、前記プロジェクタ画像の一部を遮光する部分に当該遮光したプロジェクタ画像を反射させない反射防止処理が施されている、請求項１から請求項３のいずれか一に記載の陳列棚。
【発明の詳細な説明】
【技術分野】
【０００１】
本発明は、裏面側に受けたプロジェクタ画像を表面に透過投影可能な透過型のスクリーンを備えた陳列棚に関する。
【背景技術】
【０００２】
従来、品物を陳列する陳列棚は、代表的には小売業の店舗、例えばスーパーマーケットやコンビニエンスストア、ホームセンター、デパート内の各種商品の売場等で広く用いられている。小売業の店舗では、陳列棚に商品を陳列し、陳列する商品に対応付けて棚札が付けられる。この棚札は、対応付けられる商品の価格やその他の情報を顧客に示すことを目的としている。例えば、特許文献１の図６には、例えば液晶パネルや有機ＥＬパネル等によって棚札表示を行う陳列棚が開示されている。
【０００３】
【特許文献１】特開２００５−０９９８８８公報
【発明の開示】
【発明が解決しようとする課題】
【０００４】
特許文献１に開示されている陳列棚では、複数の小型の表示装置を横に連結して横長に形成することで横長の大きな棚札表示を実現している（図８参照）。しかし、このようにして実現された横長の大きな表示装置では、連結した表示装置同士の間に継ぎ目が生じてしまうために、継ぎ目の部分では自然で綺麗な表示をすることができず、顧客の目を惹くような大きく繋ぎ目のないＰＯＰ広告を表示することは難しい。
【０００５】
本発明の目的は、陳列棚に、棚札表示として品物の情報を綺麗に表示させることである。
【課題を解決するための手段】
【０００６】
本発明の陳列棚は、品物を載置可能であって異なる高さ位置に配置された複数個の載置台と、前記載置台に個々に対応付けて当該載置台の前方領域に位置付けられ、裏面側から投影されたプロジェクタ画像を表面側に透過投影可能な複数個の透過型スクリーンと、一又は二以上の前記透過型スクリーンの内縁を縁取る位置に設けられ前記投影されるプロジェクタ画像の一部を遮光する遮光部材と、一画面で構成されたプロジェクタ画像を投影するプロジェクタ装置が配置されるプロジェクタ設置部と、前記プロジェクタ装置から投影されたプロジェクタ画像を個々の前記透過型スクリーンの裏面側に分割して導く光学系と、を備える。
【発明の効果】
【０００７】
本発明によれば、透過型スクリーンにプロジェクタ画像が繋ぎ目を作ることなく表示され、プロジェクタ画像の外縁部分が遮光部材によって遮光されて透過型スクリーンにプロジェクタ画像が明確に縁取られて表示されるため、陳列棚の前方に、棚札表示として品物の情報を綺麗に表示させることができる。
【発明を実施するための最良の形態】
【０００８】
［構造］
本発明の実施の一形態を図１ないし図１０に基づいて説明する。本実施の形態は、スーパーマーケットへの適用に適した陳列棚システム１０１について紹介する。
【０００９】
図１は、陳列棚システム１０１の全体の模式図である。
【００１０】
本実施の形態の陳列棚システム１０１は、店舗内に設置される陳列棚１と、陳列棚１の内部に設置されるプロジェクタ装置１４と、バックヤードに配置されるコンピュータ１６とから構成されている。プロジェクタ装置１４とコンピュータ１６とは、ネットワーク１０２を介して接続されている。
【００１１】
陳列棚１は、品物４を載置可能な載置台６を備えている。載置台６は、側面を一対の側板３に支持されている棚板であり、それぞれ異なる高さ位置に三段設けられ、それぞれの載置台６（６ａ、６ｂ、６ｃ）の上部に品物４を載置可能な載置空間５を形成している。陳列棚１は、また、載置台６ａ、６ｂの前端から下方に、スクリーン７ａ、７ｂを鉛直に向けて備えている。このスクリーン７は、例えば磨りガラス様の構造を備え、裏面側から投影されるプロジェクタ画像を表面に透過投影可能な透過型のものであり、載置台６の幅一杯に切れ目無く形成されている。陳列棚１の上部を覆う天板２の前端の下方にも、スクリーン７ａ、７ｂと同様にトップスクリーン７ｄが設けられている。
【００１２】
スクリーン７（７ａ、７ｂ、７ｄ）には、遮光部材８（図３ないし図５参照）が貼り付けられている。遮光部材８は、不透明で遮光性を備える部材であり、スクリーン７ａと同じ大きさである矩形枠形状に形成されている。遮光部材８の表面には、投影されたプロジェクタ画像を反射しないような反射防止加工が施されている。このような遮光部材８には、例えば、表面に遮光紙を貼り付けた黒色不透明のアクリル板や、表面に低反射クロム遮光膜を形成した金属板が用いられる。遮光部材８は、スクリーン７の裏面側に、そのスクリーン７の内縁を縁取る位置に貼り付けられている。
【００１３】
陳列棚１の内部には、プロジェクタ装置１４が配置されるプロジェクタ設置部１９ａが設けられている。プロジェクタ設置部１９ａに配置されるプロジェクタ装置１４は、レンズ１５（図４参照）からスクリーン７に向けて一画面で構成されたプロジェクタ画像を投射する、例えば液晶プロジェクタである。プロジェクタ装置１４は、ネットワーク１０２を介してバックヤードに設置されたコンピュータ１６と接続する。コンピュータ１６は、その外観態様として、本体タワー１０３、ディスプレイ１０４、キーボード１０５、およびマウス等のポインティングデバイス１０６を備えて構成され、プロジェクタ装置１４が投射するプロジェクタ画像の画像データを管理する。
【００１４】
プロジェクタ装置１４は、コンピュータ１６から送信された画像データを受信し、受信した画像データに基づく一画面で構成されたプロジェクタ画像を生成し、生成したプロジェクタ画像をスクリーン７に投影する。  
続いて、陳列棚１の構成について説明する。
【００１５】
図２は、陳列棚１の全体の斜視図である。図３は、陳列棚１の全体の正面図である。陳列棚１の外観構成について、図２および図３に基づいて説明する。
【００１６】
陳列棚１は、その枠組みを、一対の側板３に挟まれる天板２、背板１０（図４参照）および下部前板１１によって構成される。
【００１７】
天板２は、陳列棚１の最上部に位置づけられ一対の側板３に挟まれて、陳列棚１の上部を覆うように水平となるように固定されている。天板２の前端の下方には、トップスクリーン７ｄが天板２および一対の側板３に固定されて鉛直方向に設置されている。
【００１８】
背板１０は、陳列棚１の背面に、下辺を床面に接し、上辺を天板２に接続して、一対の側板３に挟まれて鉛直となるように固定されている。
【００１９】
下部前板１１は、陳列棚１の前面の下方に、一対の側板３に挟まれて下辺を床面に接して、鉛直となるように固定されている。
【００２０】
陳列棚１には、品物４を載置可能な三段の載置台６が配置されている。すなわち、陳列棚１の下方には最下段の載置台６ｃが配置され、順次上方に向け中段の載置台６ｂ、最上段の載置台６ａが配置されている。各載置台６（６ａ、６ｂ、６ｃ）はそれぞれ一対の側板３に挟まれて水平となるように固定され、各載置台６の上部に品物４を載置可能な載置空間５を形成している。最下段の載置台６ｃの前端は、下部前板１１の上端と接続されている。また、載置台６ａ、６ｂの前端の下方には、載置台６ａ、６ｂおよび一対の側板３に固定されてスクリーン７ａ、７ｂが配置されている。つまり、スクリーン７ａは載置台６ａに、スクリーン７ｂは載置台６ｂに、トップスクリーン７ｄは天板２にそれぞれ対応付けて、載置台６ａ、６ｂおよび天板２の前方領域に位置づけられることになる。
【００２１】
各スクリーン７（７ａ、７ｂ、７ｄ）は、陳列棚１の内部に設けられる複数枚の反射鏡を備える反射光学系において、プロジェクタ装置１４の内部に設けられている液晶表示装置を物体面として、その液晶表示装置と共役の関係にある像面２９（図４参照）に近い位置に配置される。また、各スクリーン７（７ａ、７ｂ、７ｄ）の裏面側には、遮光部材８が貼り付けられている。
【００２２】
各載置台６の奥側端部には、載置台６の奥行きを規定する奥板１２が立設配置される。各奥板１２の最上部からは、載置台６の設置方向に沿って載置台６の天井部をなす天井板９（図４参照）が配置されている。天井板９はスクリーン７の裏面側に、プロジェクタ装置１４から投影されるプロジェクタ画像を遮らないように水平にそれぞれ配置されている。各天井板９は、その前端を各天井板９の上方に配置されている各スクリーン７の下端に接続する。すなわち、最上段の載置台６ａの天井部をなす天井板９ａはその前端をトップスクリーン７ｄの下端に接続し、中段の載置台６ｂの天井部をなす天井板９ｂはその前端をスクリーン７ａの下端に接続し、最下段の載置台６ｃの天井部をなす天井板９ｃはその前端をスクリーン７ｂの下端に接続する。
【００２３】
陳列棚１の外観を構成する天板２、側板３、載置台６、天井板９、背板１０、下部前板１１および奥板１２は、いずれも遮光性のある平板形状の部材で形成されており、またこれらは互いに、陳列棚１の内部に光が侵入しないように、隙間を形成することなく接続されている。
【００２４】
図４は、陳列棚１の縦断側面図である。陳列棚１の内部構成について、図４に基づいて説明する。
【００２５】
陳列棚１の内部空間で各天井板９の上方には、載置台６や天板２と平行に平面状の広がりをもった段部画像投影空間１８が形成されている。より詳細には、トップスクリーン７ｄに接続する天井板９ａと天板２との間の領域には段部画像投影空間１８ａが、スクリーン７ａに接続する天井板９ｂと載置台６ａとの間の領域には段部画像投影空間１８ｂが、スクリーン７ｂに接続する天井板９ｃと載置台６ｂとの間の領域には段部画像投影空間１８ｃが、それぞれ形成されている。これらの段部画像投影空間１８（１８ａ、１８ｂ、１８ｃ）は、陳列棚１の後方から前方に向かって、各スクリーン７の裏面側に投影されるプロジェクタ画像が通過する空間である。プロジェクタ画像が投影される各スクリーン７の裏面側には、遮光部材８が貼り付けられている。
【００２６】
また、陳列棚１の載置台６ｃの下方で下部前板１１と背板１０との間には、下部空間１９が形成されている。下部空間１９には、下部前板１１に接して陳列棚１の底面を構成する底板１３の上にプロジェクタ設置部１９ａが設けられている。プロジェクタ設置部１９ａは、プロジェクタ装置１４の光学軸を後方水平方向に向けてプロジェクタ装置１４を配置する形状に構成されている。
【００２７】
また、陳列棚１の内部空間の奥側で背板１０と奥板１２との間には、背板１０と平行に鉛直方向の広がりをもった奥側画像投影空間１７が形成されている。
【００２８】
陳列棚１は、また、奥側画像投影空間１７および下部空間１９に、主反射鏡２１と、３枚の投影鏡２４（２４ａ、２４ｂ、２４ｄ）とから構成される光学系２３を備えている。主反射鏡２１および投影鏡２４はいずれも、プロジェクタ画像を反射する鏡面を一方の面に備える平面鏡である。
【００２９】
主反射鏡２１は、陳列棚１の下部空間１９の奥側でレンズ１５の高さに位置づけられ、プロジェクタ装置１４から陳列棚１の後方に向けて水平方向に投射されるプロジェクタ画像を、上方向に偏向させる向きに配置される。
【００３０】
投影鏡２４は、陳列棚１の奥側画像投影空間１７で主反射鏡２１の上方に、各スクリーン７に対応づけて３枚配置される。これらの投影鏡２４はその上端を対応するスクリーン７の上縁部の高さ位置に合わせ、プロジェクタ画像をスクリーン７の裏面側に投影する向きに配置される。すなわち、投影鏡２４ａはプロジェクタ画像をスクリーン７ａの裏面側に投影する向きに、投影鏡２４ｂはプロジェクタ画像をスクリーン７ｂの裏面側に投影する向きに、投影鏡２４ｄはプロジェクタ画像をトップスクリーン７ｄの裏面側に投影する向きに、それぞれ配置される。そして、投影鏡２４ａ、２４ｂ、２４ｄはそれぞれ、陳列棚１の前後方向に位置を違えて、主反射鏡２１によって偏向され下方から入射されるプロジェクタ画像を互いに遮らない位置関係に配置される。
【００３１】
以上のような位置関係に配置された主反射鏡２１および投影鏡２４で構成される光学系２３によって、プロジェクタ装置１４から投影されたプロジェクタ画像は、個々のスクリーン７の裏面側に分割して導かれる。
【００３２】
図５は、載置台６ａの前方部分の分解斜視図である。スクリーン７ａに貼り付けられている遮光部材８について、図５に基づいて説明する。
【００３３】
載置台６ａの前端下方には、透過型のスクリーン７ａが設けられている。このスクリーン７ａは平板形状であり、上辺を載置台６ａの前端に、両側辺を一対の側板３に、下辺を天井板９ｂの前端にそれぞれ接続して、鉛直に設けられている。
【００３４】
スクリーン７ａの裏面側には、図５に示すように、そのスクリーン７ａの内縁を縁取るように、スクリーン７ａと同じ大きさである矩形枠形状の遮光部材８が貼り付けられている。載置台６ｂの前端下方に設けられているスクリーン７ｂ、および、天板２の前端下方に設けられているトップスクリーン７ｄにも、スクリーン７ａと同様に、その裏面側にスクリーン７の内縁を縁取るように遮光部材８が貼り付けられている。
【００３５】
以上に述べたような外観構成および内部構成の陳列棚１において、プロジェクタ装置１４がスクリーン７に投影するプロジェクタ画像について、図６ないし図８に基づいて説明する。
【００３６】
図６は、プロジェクタ装置１４に画像データを送信するコンピュータ１６のハードウェア構成を示すブロック図である。図６に基づいて、コンピュータ１６のハードウェア構成について説明する。
【００３７】
コンピュータ１６は、情報処理部としてのマイクロコンピュータ３０１を有している。マイクロコンピュータ３０１は、各種演算処理を実行するＣＰＵ３０２と、ＢＩＯＳ等の固定データを固定的に記憶するＲＯＭ３０３と、各種可変データを書き替え自在に記憶してワークエリアとして使用されるＲＡＭ３０４とを備えて構成されている。マイクロコンピュータ３０１には、ＨＤＤ３０６とＣＤ−ＲＯＭドライブ３０７とが、バスライン３０５を介してデータ通信自在に接続されている。一例として、ＯＳ３１０（オペレーティングシステム、図７参照）や各種のアプリケーションプログラムを記憶するＣＤ−ＲＯＭ３０８からＣＤ−ＲＯＭドライブ３０７が情報を読み取り、これをＨＤＤ３０６にインストールすることができるように構成されている。
【００３８】
また、図１に外観態様を示した前述のディスプレイ１０４、キーボード１０５およびポインティングデバイス１０６も、バスライン３０５を介してマイクロコンピュータ３０１に接続されている。ディスプレイ１０４は、マイクロコンピュータ３０１に対する出力機器となり、キーボード１０５およびポインティングデバイス１０６は、マイクロコンピュータ３０１に対する入力機器となる。
【００３９】
さらに、マイクロコンピュータ３０１には通信インターフェイス３０９も接続されている。この通信インターフェイス３０９は、ネットワーク１０２を介してプロジェクタ装置１４との間の通信を可能とするプロトコルをサポートしている。
【００４０】
図７は、プロジェクタ装置１４が投射するプロジェクタ画像の基礎となる画像データを編集生成するためのコンピュータ１６上での仕組みを例示する模式図である。図７に基づいて、コンピュータ１６上で画像データを編集生成する仕組みについて説明する。
【００４１】
コンピュータ１６のＨＤＤ３０６には、プロジェクタ装置１４から投影される画像データの編集および生成を可能とするアプリケーションプログラムとして、画像形成ソフトウェア３１１がインストールされている。また、ＨＤＤ３０６には、画像形成ソフトウェア３１１と共に利用される画像ライブラリ３１２がインストールされている。このような画像形成ソフトウェア３１１としては、例えばマイクロソフト社のパワーポイント（商品名）が用いられる。このような画像形成ソフトウェア３１１によれば、コンピュータ１６上で画像データを編集生成することが可能であり、生成した画像データ上に文字を重畳させることも可能である。また、画像形成ソフトウェア３１１によれば、画像データの編集生成に際して、画像ライブラリ３１２に含まれている各種のモデル画像を利用し、これを編集生成した画像上に貼り付けることができる。画像ライブラリ３１２には、例えば、各種の食品等の写真データや絵柄データをモデル画像として記憶している。
【００４２】
画像形成ソフトウェア３１１は、その起動に伴って、そのプログラムコードの全部又は一部がＲＡＭ３０４にコピーされ、画像形成ソフトウェア３１１に基づく処理速度の高速化が図られる。また、このような画像形成ソフトウェア３１１のＲＡＭ３０４へのコピーに付随して、画像ライブラリ３１２の全部又は一部もＲＡＭ３０４にコピーされ、処理速度の高速化が図られる。そして、マイクロコンピュータ３０１は、画像形成ソフトウェア３１１によって編集生成した画像データを、通信インターフェイス３０９からネットワーク１０２を介してプロジェクタ装置１４に送信することができる。
【００４３】
図８は、コンピュータ１６上で編集生成されたプロジェクタ画像の基礎となる画像データの一例を示す模式図である。図６および図７に基づいて前述したハードウェア構成およびソフトウェア構成のコンピュータ１６を用いて編集生成された画像データについて、図８に基づいて説明する。なお、図８に示す画像データは、コンピュータ１６のディスプレイ１０４に表示された態様として示している。
【００４４】
図８に示すように、画像データは一画面で構成されている。その画面データには、投影鏡２４に偏向されて、その投影鏡２４に対応する各スクリーン７に投影される部分画像４０１の領域が含まれる。より詳細には、プロジェクタ画像の基礎となる画面データには、投影鏡２４ａに偏向されてスクリーン７ａに投影される部分画像４０１ａの領域と、投影鏡２４ｂに偏向されてスクリーン７ｂに投影される部分画像４０１ｂの領域と、投影鏡２４ｄに偏向されてトップスクリーン７ｄに投影される部分画像４０１ｄの領域とが含まれる。部分画像４０１ａ、４０１ｂ、４０１ｄの領域はそれぞれ、対応するスクリーン７ａ、７ｂ、７ｄの形状にあわせた帯状の矩形形状である。これらの各領域の中には、各スクリーン７の表面側まで透過投影される画像データが格納されている。このように格納されている画像データは、例えば、各種の食品等のモデル画像や、ＰＯＰ書体の文字を表現した画像である。
【００４５】
また、画像データ中、部分画像４０１（４０１ａ、４０１ｂ、４０１ｄ）以外の領域は、ブラックアウトされている。
【００４６】
図８に示した一例について説明する。画像データのうち部分画像４０１ａの領域には、「特売セール中」および「全品１０％ＯＦＦ」という文字表示と、野菜の絵柄表示とが含まれている。これらの絵柄表示は、画像ライブラリ３１２から取得可能なものである。そして、画像形成ソフトウェア３１１がパワーポイントであれば、絵柄表示を揺れる表示にすることができる。同様に、画像データのうち部分画像４０１ｂの領域には、「産地直送！！」、「お鍋に！炒め物に！」および「新鮮野菜！」という文字表示と、各種のイラスト画像とが含まれている。また、同様に、画像データのうち部分画像４０１ｄの領域には、部分画像４０１ｄ一杯に拡大された「大特価！！野菜セール」というＰＯＰ書体の文字表示が含まれている。これらのイラスト画像も、画像ライブラリ３１２から取得可能である。
［作用］
本実施の形態の陳列棚１では、品物４に関する情報を内容としたプロジェクタ画像が、スクリーン７の裏面側から表面側に透過投影される。表面側まで透過投影されたプロジェクタ画像は、スクリーン７の全面に表示される。つまり、本実施の形態の陳列棚１では、載置台６の前方領域に配置されるスクリーン７の全面に、棚札表示として、繋ぎ目を作ることなく、品物４の情報が綺麗に表示される。
【００４７】
すなわち、陳列棚１の内部に備えられたプロジェクタ装置１４は、棚札表示の内容を含んだ一画面構成のプロジェクタ画像を投射する。プロジェクタ装置１４から投射されたプロジェクタ画像は、主反射鏡２１を経て投影鏡２４に入射される。３枚の投影鏡２４はそれぞれ、入射されるプロジェクタ画像を互いに遮らない位置関係に配置されているため、投影鏡２４に入射されるプロジェクタ画像はこれらの反射鏡によって分割される。分割された分割プロジェクタ画像は、それぞれスクリーン７の裏面側に投影され、表面側まで透過投影される。このような投射経路を経て、プロジェクタ装置１４から投射される一画面構成のプロジェクタ画像は、陳列棚１の上部に設けられたトップスクリーン７ｄ、および、載置台６の前面領域に設けられたスクリーン７ａ、７ｂに、分割され透過投影されて表示される。
【００４８】
コンピュータ１６で編集生成されるデータ画像のうち部分画像４０１の領域はスクリーン７に対応している。そこで、コンピュータ１６を操作して部分画像４０１の領域内にスクリーン７に投影したいモデル画像や文字を配置して画像データを編集生成し、部分画像４０１の領域内で作成した画像データをスクリーン７に透過投影させることにより、コンピュータ１６で生成した画像を顧客に棚札表示として表示することができる。
【００４９】
図９は、コンピュータ１６上で編集生成された画像データが投影された状態の一例を示す陳列棚１の模式図である。
【００５０】
コンピュータ１６は、画像データを通信インターフェイス３０９からネットワーク１０２を介してプロジェクタ装置１４に送信することができる。そのため、コンピュータ１６を用いて、図８に示す画像データを編集生成し、トップスクリーン７ｄに陳列される品物４を顧客に知らしめるアイキャッチャーとなる画像を、スクリーン７ａ、７ｂに棚札表示となる画像を表示させることによって、顧客に対し品物４に関する情報をスクリーン７に表示させることができる。
【００５１】
すなわち、コンピュータ１６を操作して、部分画像４０１ａの領域に、「特売セール中」などの文字表示と野菜の絵柄表示とにより構成された棚札表示としての画像を、部分画像４０１ｂの領域に「産地直送！！」、「お鍋に！炒め物に！」および「新鮮野菜！」の文字表示と各種のイラスト画像とにより構成された棚札表示としての画像を、部分画像４０１ｄの領域に「大特価！！野菜セール」という文字表示で構成されたＰＯＰ広告としての画像をそれぞれ生成して、図９に示すように、スクリーン７ａ、７ｂには棚札表示を、トップスクリーン７ｄにはＰＯＰ広告を、それぞれ透過投影させることができる。
【００５２】
また、プロジェクタ画像のうちスクリーン７に投影される部分に対応する部分画像４０１に、揺れる表示効果やスクロール表示効果などのアニメーション効果を持ち合わせたモデル画像を配置することによって、スクリーン７に透過投影させるプロジェクタ画像にアニメーション効果を持たせ、より顧客の目を惹くＰＯＰ広告や棚札表示を表示することができる。
【００５３】
図１０は、コンピュータ１６上で編集生成された画像データが投影された状態の一例を示すスクリーン７ａの正面図である。
【００５４】
陳列棚１に備わるスクリーン７には、コンピュータ１６で編集生成された画像が投影される。このスクリーン７は、プロジェクタ装置１４の内部に設けられている液晶表示装置を物体面とした、その液晶表示装置と共役の関係にある像面２９（図４参照）に近い位置に配置されている。そのため、スクリーン７に投影されたプロジェクタ画像は、プロジェクタ装置１４のレンズ１５の被写界深度によって、顧客にとって表示内容を十分に認識することができる程度のピントで結像する。
【００５５】
ここで、スクリーン７ａに遮光部材８が貼り付けられていない状態を想定する（図１０（ａ））。スクリーン７ａは鉛直に設置されているため、像面２９とは向きが一致しない。そのため、コンピュータ１６を用いて部分画像４０１ａをスクリーン７ａに合わせて矩形形状に編集生成した場合、スクリーン７ａには部分画像４０１ａが台形形状に歪曲されて表示される。
【００５６】
そこで、本実施の形態の陳列棚１のように、スクリーン７ａの裏面側に、スクリーン７ａの内縁を縁取る位置に遮光部材８を設けることによって、スクリーン７ａの裏面側に投影されるプロジェクタ画像の外縁部分が遮光部材８によって遮られる。その結果、スクリーン７ａには、投影されるプロジェクタ画像の外縁部分が遮光部材８によって遮られ、矩形形状に明確に縁取られた部分画像４０１ａが表示される（図１０（ｂ））。さらに、遮光部材８の表面には反射防止加工が施されており、遮光部材８の表面に当たって遮光されるプロジェクタ画像の外縁の一部分は、遮光部材８の表面に投影された後に段部画像投影空間１８ａに乱反射して、スクリーン７ａに映りこむことはない。
［別の実施の形態］
次いで、別の実施の形態を図１１および図１２に基づいて説明する。この場合、図１ないし図１０に基づいて説明した実施の一形態と同一の部分は同一符号で示し、説明も省略する。
【００５７】
本発明の別の実施の一形態の陳列棚１は、遮光部材８がスクリーン７の表面側に設けられている点が、前述した実施の形態と相違する。
【００５８】
図１１は、本実施の形態の載置台６ａの前方部分の分解斜視図である。
【００５９】
本実施の形態の遮光部材８は、プロジェクタ画像が投影される各スクリーン７の表面側に貼り付けられている。そして、この遮光部材８は、スクリーン７ａに貼り付けられている面に、反射防止加工が施されており、スクリーン７ａを透過投影したプロジェクタ画像の外縁部分を反射することなく遮光する。
【００６０】
図１２は、コンピュータ１６上で編集生成された画像データが投影された状態の一例を示すスクリーン７ａの正面図である。
【００６１】
本実施の形態のスクリーン７ａに表示されるプロジェクタ画像は、プロジェクタ画像が表面側まで透過された後に遮光部材８によってプロジェクタ画像の外縁部分が遮られ、矩形形状に整えられて表示される（図１２（ｂ））。
【００６２】
本実施の形態の陳列棚１によっても、前述した実施の形態の陳列棚１と同様に、陳列棚１の前方領域に設けられたスクリーン７の全面に、棚札表示として品物４の情報を綺麗に表示させることができる。さらに、本実施の形態の陳列棚１では、遮光部材８がスクリーン７の表面側に、スクリーン７の外縁部分を縁取るように位置づけられているために、スクリーン７に表示されるプロジェクタ画像と遮光部材８とのコントラストによって、顧客にスクリーン７に表示されるＰＯＰ広告や棚札表示がさらに明確に表示される。
【図面の簡単な説明】
【００６３】
【図１】陳列棚システムの全体の模式図である。
【図２】陳列棚の全体の斜視図である。
【図３】陳列棚の全体の正面図である。
【図４】陳列棚の縦断側面図である。
【図５】載置台の前方部分の分解斜視図である。
【図６】プロジェクタ装置に画像データを送信するコンピュータのハードウェア構成を示すブロック図である。
【図７】プロジェクタ装置が投射するプロジェクタ画像の基礎となる画像データを編集生成するためのコンピュータ上での仕組みを例示する模式図である。
【図８】コンピュータ上で編集生成されたプロジェクタ画像の基礎となる画像データの一例を示す模式図である。
【図９】コンピュータ上で編集生成された画像データが投影された状態の一例を示す陳列棚の模式図である。
【図１０】コンピュータ上で編集生成された画像データが投影された状態の一例を示すスクリーンの正面図である。
【図１１】別の実施の形態の載置台の前方部分の分解斜視図である。
【図１２】コンピュータ上で編集生成された画像データが投影された状態の一例を示すスクリーンの正面図である。
【符号の説明】
【００６４】
１…陳列棚、４…品物、６…載置台、７…透過型スクリーン、８…遮光部材、１４…プロジェクタ装置、１９ａ…プロジェクタ設置部、２３…光学系
【図１】
2008200377.tif 000003
【図２】
2008200377.tif 000004
【図３】
2008200377.tif 000005
【図４】
2008200377.tif 000006
【図５】
2008200377.tif 000007
【図６】
2008200377.tif 000008
【図７】
2008200377.tif 000009
【図８】
2008200377.tif 000010
【図９】
2008200377.tif 000011
【図１０】
2008200377.tif 000012
【図１１】
2008200377.tif 000013
【図１２】
2008200377.tif 000014